(57)【特許請求の範囲】
【請求項１】
建物の床スラブ上に配列されたレベル調整可能な複数の支持ブロックと、
該支持ブロック上に載置された下地板と、
該下地板上に敷設された断熱遮音シートと、
該シート上に敷設された床材と、を具備し、
前記断熱遮音シートが、圧縮成形された繊維板層と、高比重材片を含むアスファルト層とが張り合わされた二重構造材であり、
さらに、前記断熱遮音シートと前記床材との間に敷設された床暖房温水マットを具備し、
前記断熱遮音シートの該マットと接する側の層が繊維板層であることを特徴とする二重床構造。
【発明の詳細な説明】
【０００１】
【発明の属する技術分野】
本発明は、集合住宅や一般住宅に使用される二重床構造に関する。二重床構造とは、コンクリート等の床スラブ上に空間を設けて床板を敷設した構造のことである。なお、本発明の二重床構造は、床暖房温水マット（温水式又は電気式）を有する構造を含む。
【０００２】
【従来の技術及び発明が解決しようとする課題】
図９は、従来の二重床構造を模式的に示す側面図である。
従来の二重床構造５１は、コンクリート等の下地スラブ上に配列された支持ブロック５３と、同ブロック５３上に支持された床板構造体５５から構成される。支持ブロック５３は、床板構造体５５を下地スラブ上に支持するためのもので、同ブロックの上方から床板構造体５５のレベルを調整できるようになっている（詳細後述）。床板構造体５５は、支持ブロック５３上に載置された下地板５７と、下地板５７上に敷設された遮音シート５９と、遮音シート５９上に敷設された捨て貼り合板６１と、捨て貼り合板６１上に敷設された床暖房温水マット６３と、温水マット６３上に敷設された床板（フローリング材）６５とから構成される。
【０００３】
支持ブロック５３は、ゴム脚６７と支持板６９とを備える。ゴム脚６７の中央には上方に延びるボルト７１が一体に設けられている。このボルト７１は、支持板６９の中央を貫通して固定されたナット７３とかみ合う。ボルト７１の先端にドライバーの先を入れてボルト７１を回転させることにより、ゴム脚６７と支持板６９との間隔が変わり、下地スラブから支持板６９までの高さが変わる。
【０００４】
下地板５７は、一例で、長さ１８２０ｍｍ、幅６００ｍｍ、厚さ２０ｍｍの木毛繊維板である。下地板５７は支持ブロック５３の支持板６９にビス７５で固定されている。遮音シート５９は、一例で厚さが８ｍｍのアスファルト系遮音シートである。捨て貼り合板６１は、一例で厚さが１２ｍｍの合板である。捨て貼り合板６１は、遮音シート５９の防熱のために使用される。というのは、温水マット６３と遮音シート５９が直接接すると、温水マット６３の温度上昇によってアスファルト系の遮音シート５９（軟化点８０℃前後）が軟化し、揮発性有機化合物等を発生させ、この化合物が温水マット６３の温水パイプを劣化させるおそれがあるためである。捨て貼り合板６１、遮音シート５９、下地板５７はビス７７等で固定されている。
温水マット６３は、一例で、厚さが１２ｍｍで、フォーム材等の断熱材に温水パイプが埋め込まれたものである。温水マット６３は小根太６４の部分で捨て貼り合板６１に固定されている。床材６５は一例で厚さが１２ｍｍである。床材６５はフロアー釘６６で温水マット６３の小根太６４に固定されている。
【０００５】
次に、この二重床構造の施工方法について説明する。
図１０、図１１は、従来の二重床構造の施工方法を模式的に説明する図である。
まず、図１０（Ａ）に示すように、スラブ床上に所定の間隔で支持ブロック５３を配列する。次に、支持ブロック５３の支持板６９の上面に下地板５７を縦横方向に並べて載置して、下地板５７を施工場所全面に敷きつめる。なお、施工場所の壁際においては、下地板５７は際根太７９上に載置される。このとき、隣り合う下地板５７の間には、支持ブロック５３の支持板６８の上面のボルト７１の先端部が上方に露出するスキマが開けられている。そして、スキマの上方からボルト７１の先端にドライバーの先を入れボルトを回転させて支持板６９の高さを調整し、敷きつめられた下地板５７のレベル調整を行う。この段階においては、床板構造体のレベル調整は可能である。
【０００６】
次に、図１０（Ｂ）に示すように、敷きつめられた下地板５７上の全表面（下地板間のスキマを含む）に遮音シート５９を敷きつめる。遮音シート５９は、重量床衝撃音を低減するために、単位面積当りの重量を重くしている。このため、遮音シート５９を下地板５７上に敷きつめたとき、遮音シート５９の重みによって、部屋の中央部で支持ブロック５３のゴム脚が３〜７ｍｍ沈み込むことがある。これは、壁際の固定された際根太７９に対して、中央部の支持ブロック５３の高さ方向自由度が比較的高いため、遮音シート５９は周囲が固定された梁のような状態となって中央部が撓むためと考えられる。
このとき、遮音シート５９は、下地板５７上の全表面に敷きつめられるため、支持ブロック５３の高さ調整を行うことができない。
【０００７】
さらに、図１１（Ａ）に示すように、捨て貼り合板６１も、遮音シート５９上の全表面に、部屋中央部が沈み込んだ状態のままで敷きつめられる。同様に、図１１（Ｂ）に示すような、捨て貼り合板５９上の全表面に温水マット６１を敷きつめる際、及び、図１１（Ｃ）に示すような、温水マット６１上の全表面に床材６５を敷き詰める際も、部屋の中央部が撓んだ状態のままで行われる。
【０００８】
このように、床表面のレベルは、支持ブロック５３上に下地板５７を敷きつめた状態でのみ調整されており、下地板５７上に順に各層が積層されていく各段階ではレベル調整が行われていなかった。このため、遮音シート５９の重量による床中央部の沈み込みは、床材６５の表面からなる最終的な床表面に直接影響し、出来上がった床が中央部付近で沈み込んでしまう不具合が生じる。
【０００９】
また、上述の捨て貼り合板６１は、床暖房時に温水マット６３の温度が上昇すると、温水マット６３と接している側の面で含水率が低下し、合板６１の反りが生じることがあった。さらに、捨て貼り合板は、厚さが１２ｍｍでないもの（例えば、厚さが３ｍｍの遮音シートとともに使用される厚さが９ｍｍの合板）は汎用性がなく、高価であり、材料の歩留まりが悪くなることもある。
【００１０】
また、上述のように、従来の二重床構造は５層構造であり、各層を敷きつめる作業や各層の固定作業に時間がかかり、全体の施工時間も長くなる。
【００１１】
本発明は上記の問題点に鑑みてなされたものであって、床表面のレベル調整が可能で、構造の簡単な二重床構造及びその施工方法を提供することを目的とする。
【００１６】
【課題を解決するための手段】
本発明の二重床構造は、  建物の床スラブ上に配列されたレベル調整可能な複数の支持
ブロックと、該支持ブロック上に載置された下地板と、該下地板上に敷設された断熱遮音シートと、該シート上に敷設された床材と、を具備し、前記断熱遮音シートが、圧縮成形された繊維板層と、高比重材片を含むアスファルト層とが張り合わされた二重構造材であり、さらに、前記断熱遮音シートと前記床材との間に敷設された床暖房温水マットを具備し、前記断熱遮音シートの該マットと接する側の層が繊維板層であることを特徴とする。
捨て貼り合板を用いないため、床構造が簡単かつ低コストになり、施工時間が短縮できる。
【００１７】
本発明においては、前記断熱遮音シートと前記床材との間に敷設された床暖房温水マットを具備し、前記断熱遮音シートの該マットと接する側の層が繊維板層であるので、断熱遮音シートの温水マット側の面を繊維板層とすることにより断熱効果を与えてアスファルト層の軟化を防止できるため、アスファルト層の軟化による温水マットのパイプの劣化を防ぐことができる。また、温水マットの上面への放熱比率も高くなる。
【００２２】
【発明の実施の形態】
以下、図面を参照しつつ説明する。
図１は、本発明の実施の形態に係る二重床構造の側面断面図である。
二重床構造１は、コンクリート等の下地スラブ上に配列された支持ブロック３と、同支持ブロック３上に支持された床板構造体５を有する。床板構造体５は、支持ブロック３上に載置された下地板７の層と、下地板７の層上に敷設された断熱遮音シート９の層と、断熱遮音シート９の層上に敷設された床暖房温水マット１１の層と、温水マット１１の層上に敷設された床板（フローリング材）１３とから構成される。
【００２３】
支持ブロック３は、防音性ゴム脚１５と支持板１７とを備える。支持板１７は、１００ｍｍ角で厚さ１５ｍｍの合板又は１００角で厚さ２０ｍｍ、曲げ強度１８ＭＰａ以上の木毛繊維板で作製される。ゴム脚１５の中央には上方に延びる鋼鉄製のボルト１９が一体に設けられている。このボルト１９の頭部先端面には、マイナスドライバーが差し込まれるマイナス状溝が形成されている。ボルト１９は、支持板１７の中央を貫通して固定されたナット２１とかみ合う。ボルト１９の頭部先端面にドライバーを嵌めてボルト１９をナット２１に対して回転させることにより、ゴム脚１５と支持板１７との間隔が変わり、スラブ床から支持板１７までの高さが変わる。
【００２４】
下地板７は、一例で、長さ１８２０ｍｍ、幅６００ｍｍ、厚さ２０ｍｍの木毛繊維板である。隣り合う下地板７の間には、ボルト１９の頭部先端面が上方に露出するスキマＤ１が形成されている。下地板７は、コーススレッドスクリュービス２３で支持板１７に固定されている。スキマＤ１の間隔は一例で１５〜２０ｍｍである。このスキマＤ１が作業スペースとなる。そして、スキマＤ１の上方からドライバーを入れ、ボルト１９の頭部先端面のマイナス溝にドライバーの先端を差し込んで回転させて支持ブロック３のレベル調整を行うことができる。
【００２５】
断熱遮音シート９は、繊維板層９ａとアスファルト層９ｂが接着された二層構造材であり、一例で幅が６００ｍｍ、長さ６００ｍｍ、厚さは１２ｍｍである。繊維板層９ａはオレフィン系バインダーを介して圧縮成形された繊維板で、熱伝導率は３．５〜４．０×１０-4ｃａｌ／ｃｍ・ｓｅｃ・℃であり一般の断熱材として使用できる。繊維板層９ａの厚さは一例で４〜８ｍｍである。アスファルト層９ｂは高比重アスファルト系遮音材で、厚さは一例で６〜１０ｍｍである。断熱遮音シート９は面密度が３０〜５０ｋｇ／ｃｍ3で、シート一枚の重量は２０ｋｇ以下である。
【００２６】
断熱遮音シート９は、下地板７上にビスや接着剤で固定されずに載置されている。このとき、断熱遮音シート９の繊維板層９ａ側の面が上面、アスファルト層９ｂ側の面が下地板７に接するように位置している。さらに、下地間のスキマＤ１（作業スペース）と同じ位置に、同じ幅のスキマＤ２（作業スペース）が開けられている。このため、断熱遮音シート９のスキマＤ２の上方からドライバーを入れ、ボルト１９の頭部先端面のマイナス溝にドライバーの先端を差し込んで回転させることができる。このため、断熱遮音シート９を敷設した後に支持ブロック３のレベル調整を行うことができる。
【００２７】
温水マット１１は、一例で、厚さが１２ｍｍで、温水パイプ２５が埋め込まれたフォーム材等の断熱材（マット板）２７と、木製の小根太２９とから構成される。この温水マット１１には、上下に貫通する孔３１が開けられている。そして、この孔３１が作業スペースＤ１、Ｄ２に連通するように温水マット１１が配置される。温水マット１１の小根太２９、断熱遮音シート９、下地板７はコーススレッドビス３３で固定されている。このような構造により、温水マット１１の貫通孔３１からドライバーを入れ、ボルト１９の頭部先端面のマイナス溝にドライバーの先端を差し込んで回転させることができる。このため、温水マット１１を敷設した後においても支持ブロック３のレベル調整を行うことができる。
【００２８】
床材１３は床暖房用フローリング材で、一例で厚さが１２ｍｍである。床材１３は、温水マット１１の小根太２９、断熱遮音シート９にフロアー釘３５で固定されている。
【００２９】
この二重床構造においては、下地板７だけでなく、断熱遮音シート９と温水マット１１にも支持ブロック３のレベル調整用の作業スペース（Ｄ２、貫通孔３１）を設けたので、各部材を積層していく各段階において床表面のレベル調整を行うことができる。特に、断熱遮音シート９を敷きつめた後でレベル調整できるため、断熱遮音シート９の重みによる沈み込みを調整できる。
【００３０】
さらに、捨て貼り合板を使用していないため、床構造が簡易で低コストとなり、捨て貼り合板を下地板や遮音シートに固定するためのビス止め作業が不要となる。なお、捨て貼り合板の代わりに防熱遮音シート９を使用することにより、十分な遮音性と温水マットのパイプの保護を行うことができる。
【００３１】
次に、この二重床構造の施工方法を説明する。
図２は、支持ブロックと下地板が敷設された状態の平面図であり、図２（Ａ）は全体図、図２（Ｂ）は一部拡大図である。文中の縦横方向は、図面の縦横方向を示す。
まず、支持ブロック３を、床を施工する部屋のスラブ床上に敷きつめる。このとき、支持ブロック３を、壁と壁の間に、４５５ｍｍ間隔で４列横方向に配列する。なお、各列の縦方向の間隔は６００ｍｍである。
【００３２】
次に、支持ブロック３の支持板１７の上面と際根太（図８の符号４３）に、下地板７を長さ方向に３列配列して載置し、床面全体に敷きつめる。このとき、長さ方向で隣り合う下地板同士の間に、幅２０ｍｍのスキマＤ１を設ける。また、下地板の幅方向で隣り合う下地板同士の間にも２０ｍｍのスキマＤ１を設ける。なお、長さ方向に隣り合う下地板同士のスキマの位置は、各列で下地板の長さ方向に等間隔だけずれている。
【００３３】
図２（Ｂ）に示すように、下地板の長さ方向及び幅方向のスキマＤ１から、支持ブロック３のボルト１９の頭部先端面が露出している。そして、下地板７が長さ方向及び幅方向に接する位置においては、支持板１７の２つの隅に、長さ方向に隣り合う２枚の下地板７−５、７−６の角が載置されてビス２３で固定される。また、支持板１７の別の２つの隅を含む側辺部には、幅方向に隣り合う１枚の下地板７−９の側辺が載置されて２本のビス２３で固定される。
【００３４】
そして、スキマＤ１からドライバーを入れて、支持板１７の上面から露出しているボルト１９の頭部先端面のマイナス溝１９ａにドライバー先端を差し込んで回転させて、下地板表面のレベル調整を行う。
【００３５】
次に、下地板７上に断熱遮音シート９を敷きつめる。
図３は、下地板上の一部に断熱遮音シートを敷きつめた状態を示す平面図であり、図３（Ａ）は全体図、図３（Ｂ）は一部拡大図である。
図４は、図３の状態の一部側面断面図である。
断熱遮音シート９は、長さ方向に並んだ下地板７の上面にスキマなく載置して敷きつめられる。このとき、断熱遮音シート９の繊維板層９ａ側を上側、アスファルト層９ｂ側を下側とする。断熱遮音シート９の幅は下地板７の幅と等しく６００ｍｍであるので、列方向に並んだ下地板７の上にピッタリと重ねて敷きつめることができる。なお、幅方向に対しては、下地板同士のスキマと同じ幅のスキマＤ２が開けられる。なお、断熱遮音シートは下地板と同じ大きさとすることが可能である。
断熱遮音シート９は、下地板７上に置かれるだけで、ビス等による固定は行われない。
【００３６】
この状態において、断熱遮音シート９の重みにより支持ブロック３のゴム脚１５が沈み込むことがある。このような場合は、図４に示すように、隣り合う下地板及び断熱遮音シート間のスキマＤ１、Ｄ２に、上方からドライバー４１を入れて、支持板１７の上面から露出しているボルト１９の頭部先端面のマイナス溝に差し込んで回転させて、支持板１７の高さを調整し、断熱遮音シート９面のレベル調整を行う。
【００３７】
次に、断熱遮音シート９上に温水マット１１を敷設する。
図５は、断熱遮音シート上に温水マットを敷きつめた状態を示す平面図であり、図５（Ａ）は全体図、図５（Ｂ）は一部拡大図である。
図６は、図５の状態の一部側面断面図である。
温水マット１１の断熱材２７の部分には、長さ方向に４５５ｍｍ、幅方向に６００ｍｍの間隔で複数の貫通孔３１が開けられている。温水マット１３は、断熱遮音シート１１上に敷設されたときに、これらの貫通孔３１が、下地板及び断熱遮音シートのスキマＤ１、Ｄ２に連通するように位置決めされている。そして、図６に示すように、温水マット１１の小根太２９を、コーススレッドビス３３により断熱遮音シート９及び下地板７に固定する。なお、床面上の温水マットの両側はダミー合板３７が貼られている。
【００３８】
この状態においても、温水マット１１表面のレベル調整が必要な場合は、温水マット１１の貫通孔３１から作業スペースにドライバーを差し込み、支持ブロック３のボルト１９の頭部先端面のマイナス溝に差し込んで回転させ、同面のレベル調整を行うことができる。
【００３９】
最後に、温水マット１１上面にフローリング材１３を敷きつめ、フロアー釘３５や接着剤で温水マット１３の小根太２９に固定する。これにより、図１に示す断面構造の二重床１を施工できる。
【００４０】
図７は、温水マットの他の構造を示す平面図である。
この例の温水マット１３は、貫通孔３１がスリット状の長孔となっている。貫通孔３１を長孔とすることにより、温水マット１３の位置決め範囲が広がる。
【００４１】
図８は、上述の二重床構造の施工過程を示す側面図であり、図８（Ａ）は下地板敷設段階、図８（Ｂ）は断熱遮音シート敷設段階、図８（Ｃ）は温水マット敷設段階を示す。
上述の説明から分かるように、図８（Ａ）の下地板敷設段階においては、下地板間のスキマＤ１から支持ブロック３のレベル調整を行うことができる。そして、図８（Ｂ）の遮音断熱シート敷設段階においても、同シート間のスキマＤ２及び下地板間のスキマＤ１から支持ブロック３のレベル調整を行うことができる。さらに、図８（Ｃ）の温水マット敷設段階においても、温水マット１３の貫通孔３１から支持ブロックのレベル調整を行うことができる。
【００４２】
【発明の効果】
以上の説明から明らかなように、本発明によれば、従来の捨て貼り合板の替わりに断熱遮音シートを使用したことにより、床構造を簡易化できるため施工時間の短縮や低コスト化できる。
【図面の簡単な説明】
【図１】本発明の実施の形態に係る二重床構造の側面断面図である。
【図２】支持ブロックと下地板が敷設された状態の平面図であり、図２（Ａ）は全体図、図２（Ｂ）は一部拡大図である。文中の縦横方向は、図面の縦横方向を示す。
【図３】下地板上の一部に断熱遮音シートを敷きつめた状態を示す平面図であり、図３（Ａ）は全体図、図３（Ｂ）は一部拡大図である。
【図４】図３の状態の一部側面断面図である。
【図５】断熱遮音シート上に温水マットを敷きつめた状態を示す平面図であり、図５（Ａ）は全体図、図５（Ｂ）は一部拡大図である。
【図６】図５の状態の一部側面断面図である。
【図７】温水マットの他の構造を示す平面図である。
【図８】二重床構造の施工過程を示す側面図であり、図８（Ａ）は下地板敷設段階、図８（Ｂ）は断熱遮音シート敷設段階、図８（Ｃ）は温水マット敷設段階を示す。
【図９】従来の二重床構造を模式的に示す側面図である。
【図１０】従来の二重床構造の施工方法を模式的に説明する図である。
【図１１】従来の二重床構造の施工方法を模式的に説明する図である。
【符号の説明】
１  二重床構造                    ３  支持ブロック
５  床板構造体                    ７  下地板
９  断熱遮音シート              １１  床暖房温水マット
１３  床板（フローリング材）      １５  防音性ゴム脚
１７  支持板                      １９  ボルト
２１  ナット                      ２３  コーススレッドスクリュービス
２５  温水パイプ                  ２７  断熱材
２９  小根太                      ３１  孔
３３  コーススレッドビス          ３５  フロアー釘
【図１】
0003923843.tif 000002
【図２】
0003923843.tif 000003
【図３】
0003923843.tif 000004
【図４】
0003923843.tif 000005
【図５】
0003923843.tif 000006
【図６】
0003923843.tif 000007
【図７】
0003923843.tif 000008
【図８】
0003923843.tif 000009
【図９】
0003923843.tif 000010
【図１０】
0003923843.tif 000011
【図１１】
0003923843.tif 000012